(57)【要約】【課題】リモコン装置から照明装置に多数のコマンドから成るコマンド列を送信する場合であっても、ボタン押下に対するレスポンスを可及的に向上させることができる照明システムを提供する。【解決手段】照明システムであって、照明装置は、照明光源の発光状態を現発光状態から１段階変化させることを指示する第１の制御コマンドと、第１の制御コマンドとは異なる動作を指示する第２の制御コマンドとを受信し、リモコン装置は、第１の制御コマンドを繰り返し送信する場合に、第１の制御コマンドのそれぞれを、照明光源の発光状態の変化が段階的であることを視認し得る第１の送信間隔で送信し、第２の制御コマンドを送信する場合に、第２の制御コマンドを構成する単位コマンドのそれぞれを第１の送信間隔より短い第２の送信間隔で送信するよう送信手段を制御する送信制御手段を備える。【選択図】図４
2014082100.tif 000002
【特許請求の範囲】
【請求項１】
照明装置と、前記照明装置を遠隔操作するためのリモコン装置とから成る照明システムであって、
前記照明装置は、
照明光源と、
前記照明光源の発光状態を現発光状態から１段階変化させることを指示する第１の制御コマンドと、前記第１の制御コマンドとは異なる動作を指示する第２の制御コマンドとを受信する受信手段を備え、
前記第２の制御コマンドにより指示される動作は、それぞれが単位コマンドにより指示される一連の動作から成り、
前記リモコン装置は、
前記第１及び第２の制御コマンドを送信する送信手段と、
前記第１の制御コマンドを繰り返し送信する場合に、前記第１の制御コマンドのそれぞれを、前記照明光源の発光状態の変化が段階的であることを視認し得る第１の送信間隔で送信し、前記第２の制御コマンドを送信する場合に、前記単位コマンドのそれぞれを、前記第１の送信間隔より短い第２の送信間隔で送信するよう前記送信手段を制御する送信制御手段とを備える
ことを特徴とする照明システム。
【請求項２】
前記送信制御手段は、前記送信手段が前記第２の制御コマンドを繰り返し送信する場合には、前記第２の制御コマンドの送信間隔を前記第２の送信間隔で送信するよう前記送信手段を制御する
ことを特徴とする請求項１記載の照明システム。
【請求項３】
前記発光状態の視認可能な変化は、明るさ又は光色の変化である
ことを特徴とする請求項１記載の照明システム。
【請求項４】
前記照明装置は、複数の単位コマンドから構成され、かつ前記第２の制御コマンドに含まれる特定の単位コマンドと同じ単位コマンドを含む第３の制御コマンドを受け付け、
前記送信制御手段は、前記第３の制御コマンドを送信する場合には、前記第３の制御コマンドを構成する単位コマンドを、前記第１の送信間隔で送信し、
前記照明装置は、前記特定の単位コマンドを受信した場合に、複数の単位コマンドの受信間隔を用いて、前記特定の単位コマンドを含む制御コマンドが、前記第２及び第３の制御コマンドのいずれであるかを判断する
ことを特徴とする請求項１記載の照明システム。
【請求項５】
照明光源の発光状態を現発光状態から１段階変化させることを指示する第１の制御コマンドと、前記第１の制御コマンドとは異なる動作を指示する第２の制御コマンドとを受信する照明装置と、前記照明装置を遠隔操作するためのリモコン装置とから成る照明システムに用いられる照明制御方法であって、
前記リモコン装置が、制御コマンドを送信する場合に、送信する制御コマンドが前記第１及び第２の制御コマンドのいずれであるかを判断するステップと、
前記リモコン装置が、前記第１の制御コマンドを繰り返し送信する場合に、前記第１の制御コマンドのそれぞれを、前記照明光源の発光状態の変化が段階的であることを視認し得る第１の送信間隔で送信し、前記第２の制御コマンドを送信する場合に、前記単位コマンドのそれぞれを、前記第１の送信間隔より短い第２の送信間隔で送信するステップとを含む
ことを特徴とする照明制御方法。
【発明の詳細な説明】
【技術分野】
【０００１】
本発明は、リモコン装置を用いて照明装置を制御する照明システムに関し、特に、リモコン装置から照明装置への制御コマンドの送信に関する。
【背景技術】
【０００２】
ユーザによりリモコン装置が備えるボタンが押下された場合、リモコン装置は、押下されたボタンに対応するコマンドを照明装置へと送信する。ボタンが押下された状態が継続されると、リモコン装置はそのコマンドを繰り返し送信する。
リモコン装置がコマンドを繰り返し送信する場合の送信間隔としては、照明装置が、特定のコマンドを繰り返し受信し、特定のコマンドに従い照明の発光状態（明るさ、色温度）を変化させる場合に、発光状態が段階的に変化していることを視認できる程度の間隔が用いられる。発光状態が段階的に変化していることをユーザが認識する間もないほど短時間のうちに照明装置が発光状態を最大限変化させてしまうと、ユーザが照明の発光状態を望み通りに調整することができなくなるためである。また、相異なるコマンドを送信する場合の送信間隔についても、上述した同一のコマンドを繰り返し送信する場合の送信間隔と同じ送信間隔が用いられる（特許文献１参照）。
【先行技術文献】
【特許文献】
【０００３】
【特許文献１】特開２０１１−２３３２９３号公報
【発明の概要】
【発明が解決しようとする課題】
【０００４】
ところで、照明装置が高機能化することにより、１つの機能を実行するのに多数の項目について設定を要し、設定のためリモコン装置から照明装置に送信すべきコマンド数が多数に及ぶことが考えられる。この場合、多数のコマンドを全て送信完了するまでは、リモコン装置においてボタンの押下を検出しても、押下されたボタンに対応するコマンドの送信ができず、照明システム全体としてユーザによるボタン押下に対するレスポンスが低下してしまうという問題がある。
【０００５】
そこで、本発明は、係る問題に鑑みてなされたものであり、リモコン装置から照明装置に多数のコマンドから成るコマンド列を送信する場合であっても、ボタン押下に対するレスポンスを可及的に向上させることができる照明システムを提供することを目的とする。
【課題を解決するための手段】
【０００６】
上記課題を解決するために、本発明に係る照明システムは、照明装置と、前記照明装置を遠隔操作するためのリモコン装置とから成る照明システムであって、前記照明装置は、照明光源と、前記照明光源の発光状態を現発光状態から１段階変化させることを指示する第１の制御コマンドと、前記第１の制御コマンドとは異なる動作を指示する第２の制御コマンドとを受信する受信手段を備え、前記第２の制御コマンドにより指示される動作は、それぞれが単位コマンドにより指示される一連の動作から成り、前記リモコン装置は、前記第１及び第２の制御コマンドを送信する送信手段と、前記第１の制御コマンドを繰り返し送信する場合に、前記第１の制御コマンドのそれぞれを、前記照明光源の発光状態の変化が段階的であることを視認し得る第１の送信間隔で送信し、前記第２の制御コマンドを送信する場合に、前記単位コマンドのそれぞれを、前記第１の送信間隔より短い第２の送信間隔で送信するよう前記送信手段を制御する送信制御手段とを備える。
【発明の効果】
【０００７】
上述の構成により、本発明に係る照明システムは、リモコン装置から照明装置に多数のコマンドから成るコマンド列を送信する場合であっても、ボタン押下に対するレスポンスを可及的に向上させることができる。
【図面の簡単な説明】
【０００８】
【図１】本発明の一実施形態に係る照明システム１の外観構成を示す図。
【図２】リモコン装置２０の外観構成を示す図。
【図３】照明装置１０の機能構成を示すブロック図。
【図４】リモコン装置２０の機能構成を示すブロック図。
【図５】制御コマンド表の一例を示す図。
【図６】（ａ）単発コマンドの一例を示す図、（ｂ）連続コマンドの一例を示す図。
【図７】連続コマンドである制御コマンド（ユーザ設定）の一例を示す図。
【図８】（ａ）第１制御コマンド群に属する制御コマンドを繰り返し送信する場合の一例を示す図、（ｂ）第２制御コマンド群に属する制御コマンドを繰り返し送信する場合の一例を示す図。
【図９】単位コマンド信号について模式的に示す図。
【図１０】リモコン装置による制御コマンド送信処理を示すフローチャート。
【図１１】データ送信処理の詳細を示すフローチャート。
【図１２】照明装置による制御コマンド信号の受信処理を示すフローチャート。
【図１３】残シーケンス受信処理を示すフローチャート。
【図１４】変形例に係る制御コマンド表の一例を示す図。
【図１５】変形例に係る連続コマンドの一例を示す図。
【図１６】変形例に係るデータ送信処理の詳細を示すフローチャート。
【発明を実施するための形態】
【０００９】
＜１．概要＞
以下、本発明の一実施形態について図面を用いて説明する。
図１は、本発明の一実施形態に係る照明システム１の外観構成を示す図である。
照明システム１は、照明装置１０と、照明装置１０を操作するためのリモコン信号を出力するリモコン装置２０とから成る。
【００１０】
照明装置１０は、主な構成要素として、装置本体１０１、装置本体１０１の外周に組み付けられた円環状の枠体１０２、枠体１０２に設けられた明るさセンサ１０３、及び装置本体１０１の下側（照射方向側。照明装置１０が天井に設置される場合は、床側。）を覆うカバー１０４から成る。
図２は、リモコン装置２０の外観構成を示す図である。
【００１１】
リモコン装置２０は、ディスプレイ２０１、ユーザが指示を入力するためのボタン群２０２、ボタン群２０３、及び信号送信部２０４を備える。
ボタン群２０２は、エコロジーボタン２１１、ユーザ設定ボタン２１２、白色ボタン２１３、暖色ボタン２１４、普段ボタン２１５、勉強ボタン２１６、くつろぎボタン２１７、シアターボタン２１８、消灯ボタン２１９を含んで構成される。各ボタンには、予め制御コマンドが対応づけられている。リモコン装置２０は、ユーザによりボタンが押下されたことを検出すると、押下されたボタンに対応づけられている制御コマンドを送信する。ユーザによるボタン押下が継続していることを検出した場合（所謂長押しされた場合）には、リモコン装置２０は、制御コマンドを繰り返して送信する。
【００１２】
制御コマンドは、照明の調光、調色の指示を行うなど、照明の発光状態の視認可能な変化を指示する制御コマンドから成る第１の制御コマンド群と、それ以外の制御コマンドから成る第２の制御コマンド群のいずれかに分類される。また、各制御コマンドは、最小単位の指示を示す単位コマンドが１個以上連なって構成される。
ここで、リモコン装置２０は、第２の制御コマンド群に属する制御コマンドを繰り返して送信する場合、第１の制御コマンド群に属する制御コマンドを繰り返し送信する場合について規定している第１の送信間隔よりも短い第２の送信間隔で送信する。そして、第２の制御コマンド群に属する制御コマンドが複数の単位コマンドで構成されている場合には、単位コマンドの送信間隔についても、第２の送信間隔を用いる。これにより、第２の制御コマンド群に属する制御コマンドの送信に要する時間の短縮を図っている。
＜２．構成＞
＜２−１．照明装置１０＞
図３は、照明装置１０の機能構成を示すブロック図である。
【００１３】
照明装置１０は、照明本体部３０１と、照明本体部３０１に電力を供給する電源部３０２を含んで構成される。照明本体部３０１は、リモコン信号受信部３１１、ユーザ入力受付部３１２、計時部３１３、記憶部３１４、照明部３１５、ＰＷＭ制御部３１６、明るさセンサ３１７、及び制御部３１８を含んで構成される。照明装置１０は、プロセッサ及びメモリを含んで構成されており、ＰＷＭ制御部３１６及び制御部３１８の機能は、メモリに記憶されているプログラムをプロセッサが実行することにより実現される。
【００１４】
リモコン信号受信部３１１は、赤外線信号を受光する素子で構成されており、受光した赤外線信号を光電変換し、その結果である制御コマンドを制御部３１８へと出力する機能を有する。
ユーザ入力受付部３１２は、電源スイッチ等を含むスイッチ群及び制御回路で構成されており、ユーザによる各スイッチへの操作に応じた指示を制御部３１８へと出力する機能を有する。
【００１５】
ここで、電源スイッチについては、電源スイッチがオフにされた場合、電源部３０２から照明本体部３０１への電力供給が停止される。一方、電源スイッチがオンにされた場合、電源部３０２から照明本体部３０１への電力供給が開始される。
計時部３１３は、時計とその制御回路で構成されており、現在時刻を計測する現在時刻計測機能、設定された時間の経過を通知するカウンタ機能、及び設定された時刻になったことを通知するタイマ機能を有する。タイマ機能について、計時部３１３には複数の時刻を設定することができ、各時刻になったときに、設定元に対し設定された時刻になったことを通知する。
【００１６】
記憶部３１４は、不揮発性のメモリデバイスで構成されており、各種のデータを記憶する機能を有する。
照明部３１５は、ＰＷＭ制御部３１６により、ＰＷＭパルスを用いて指示される輝度、色温度で発光する機能を有する。
照明部３１５は、色温度の異なるＬＥＤモジュール３３１及びＬＥＤモジュール３３２が隣接配置されて成る。ＬＥＤモジュール３３１は、色温度が一例として５６００Ｋ程度である複数のＬＥＤ素子が配列されて成る。ＬＥＤモジュール３３１は、所謂昼光色（以下、「白色」ともいう。）の発光をする機能を有する。ＬＥＤモジュール３３２は、色温度が一例として３０００Ｋ程度である複数のＬＥＤ素子が配列されて成る。ＬＥＤモジュール３３２は、所謂電球色（以下、「暖色」ともいう。）の発光をする機能を有する。
【００１７】
ＬＥＤモジュール３３１及びＬＥＤモジュール３３２は、それぞれ、ＰＷＭパルスの入力を受け付け、ＰＷＭパルスのデューティー比に応じた輝度で発光する。照明部３１５から照射される光（以下、「照明光」という。）は、ＬＥＤモジュール３３１及びＬＥＤモジュール３３２のそれぞれが照射する光が混合したものとなる。
照明光の発光状態は、照明光の色温度及び輝度により定まる。すなわち、照明光の発光状態は、照明光の色温度及び輝度を変化させることにより変化させる。以下、照明光の色温度を変更することを「調色」といい、照明光の輝度を変化させることを「調光」という。
【００１８】
照明光の色温度は、ＬＥＤモジュール３３１の調光率（以下、「白色調光率」という。）と、ＬＥＤモジュール３３２の調光率（以下、「暖色調光率」という。）の比で定まる。以下では、「白色調光率  ／  （白色調光率＋暖色調光率）」を、「照明調色率」という。
例えば、白色調光率が全灯（１００％）、暖色調光率が消灯（０％）の場合、すなわち、照明調色率が１．０（１００％）の場合、照明の色温度は昼光色となる。この状態から、照明調色率を０．７（７０％）に減少させると、照明光の色温度は、昼光色から電球色に近づく。照明調光率が０（０％）の場合、照明光の色温度は昼光色となる。
【００１９】
照明光の調光率（以下、「照明調光率」という。）は、白色調光率及び暖色調光率の合計となる。
ＰＷＭ制御部３１６は、白色調光率、暖色調光率の通知を受け付けて、受け付けた白色調光率、暖色調光率に応じたＰＷＭパルスを生成し、送出する回路から構成される。
ＰＷＭ制御部３１６は、白色調光率の通知を受け付けた場合、白色調光率を表すデューティー比のＰＷＭパルスを生成し、ＬＥＤモジュール３３１に送信する。また、ＰＷＭ制御部３１６は、暖色調光率の通知を受け付けた場合、暖色調光率を表すデューティー比のＰＷＭパルスを生成し、ＬＥＤモジュール３３２に送信する。
【００２０】
例えば、ＰＷＭ制御部３１６は、白色調光率の値として５０％と指定された場合には、デューティー比が５０％であるＰＷＭパルスをＬＥＤモジュール３３１に送信する。また、ＰＷＭ制御部３１６は、暖色調光率の値として３０％と指定された場合には、デューティー比が３０％であるＰＷＭパルスをＬＥＤモジュール３３２に送信する。
明るさセンサ３１７は、周囲の明るさを検知する素子で構成され、周囲の明るさに応じた電圧信号を制御部３１８に出力する機能を有する。
【００２１】
制御部３１８は、リモコン信号受信部３１１から受け取る制御コマンドの内容を解析し、内容に応じて、照明装置１０の全体動作を制御する機能を有する。
制御部３１８の主要な機能は、照明光の調光、調色を行う照明制御機能、制御コマンド実行処理機能、リモコン信号受信部３１１と協働して制御コマンドを受信する制御コマンド受信処理機能（図１２参照）とである。
【００２２】
制御部３１８は、調光及び調色に関する情報として、照明調光率と照明調色率とを管理する。照明調光率と照明調色率とは、記憶部３１４に記憶される。制御部３１８は、照明調光率と照明調色率とを必要に応じて記憶部３１４から読み出す。
＜照明制御機能＞
制御部３１８は、照明制御機能を以下のように実現する。この機能は、制御部３１８により、ＰＷＭ制御部３１６に対し白色調光率及び暖色調光率を設定する際に実行される。
【００２３】
制御部３１８は、照明調光率と照明調色率とを用いて、ＰＷＭ制御部３１６に対し送信する白色調光率及び暖色調光率を下式により算出する。
白色調光率  ＝  照明調光率  ×  照明調色率              （式１）
暖色調光率  ＝  照明調光率  ×  （１  −  照明調色率）  （式２）
そして、算出した白色調光率及び暖色調光率をＰＷＭ制御部３１６に通知する。
【００２４】
制御部３１８は、使用する照明調光率、又は照明調色率に変化があった場合には、変化後の照明調光率及び照明調色率を用いて、白色調光率及び暖色調光率を算出しなおし、ＰＷＭ制御部３１６に通知する。そして、変更後の照明調光率及び照明調色率を適宜記憶部３１４に記憶させる。
＜照明モード＞
照明装置１０は、想定される利用シーンに応じた照明制御に関する５個の照明モード（「普段モード」「勉強モード」「くつろぎモード」「シアターモード」「エコロジーモード」）を有している。ユーザは、リモコン装置２０における５個の照明モードそれぞれに対応するボタンのいずれかを押下することにより望みの照明モードを選択する。以下、ユーザにより選択した照明モードを「現照明モード」という。現照明モードは、制御部３１８によって記憶部３１４に記憶される。
【００２５】
「普段モード」は、ユーザにより通常用いられると想定したモードである。このモードでは、ユーザによる調光、調色が可能である。
「勉強モード」は、ユーザが勉強する場合などに用いると想定したモードである。このモードでは、照明調光率が１００％に、照明調色率が０．６（白色調光率：暖色調光率＝６０：４０）に固定される。ユーザによる調色はできない。
【００２６】
「くつろぎモード」は、ユーザがくつろぐ場合などに用いると想定したモードである。このモードでは、照明調色率が０（白色調光率：暖色調光率＝０：１００）に固定される。このモードでは、ユーザによる調光は可能であるが、調色はできない。
「シアターモード」は、ユーザが映画を見る場合などに用いると想定したモードである。このモードでは、照明調光率が１００％に、照明調色率が０（白色調光率：暖色調光率＝０：１００）に固定される。このモードでは、ユーザによる調光、調色はできない。
【００２７】
「エコロジーモード」は、ユーザ操作によるものではなく、環境光に応じて調光、調色を行うモードである。このモードでは、照明調光率として、普段モードの照明調光率から、明るさセンサ３１７により検出された環境光の明るさに相当する調光率を減じたものが用いられる。
＜制御コマンド実行処理機能＞
制御部３１８による制御コマンド実行処理機能（図１２のＳ１２１３に相当）について説明する。
【００２８】
図５は、制御コマンドの一覧である制御コマンド表を表す図である。
図５中の「制御コマンド」欄は、照明装置１０に送信する制御コマンドの名称を示している。
ここで、制御コマンドは、制御部３１８に対する最小単位の指示を示す単位コマンドの組合せで構成される。単位コマンド１つから構成される制御コマンドを「単発コマンド」といい、複数の単位コマンドが連なって構成される制御コマンドを「連続コマンド」という。図５中の「コマンドシーケンス」欄は、制御コマンドを構成する単位コマンドを列記したものである。
【００２９】
以下では、各制御コマンドを、「制御コマンド（特定の処理）」のように記載して、各制御コマンドを識別する。例えば、「制御コマンド（調光アップ）」は、調光アップを指示する制御コマンドを表している。
制御コマンド（調光アップ）は、照明調光率を増加させることを指示するコマンドである。制御コマンド（調光アップ）は、単位コマンドである調光アップコマンドを含む。制御部３１８は、制御コマンド（調光アップ）を受信した場合、照明調光率を１段階（一例として、本実施形態では１０％）増加させる。なお、制御部３１８は、照明調光率を１０％増加させる場合、１度に１０％増加させるのではなく、０．２％ずつ緩やかに増加させる。照明調光率の上限は１００％である。
【００３０】
ただし、現照明モードが、勉強モード、シアターモードのいずれかである場合には、照明調光率の増加はさせない。
制御コマンド（調光ダウン）は、照明調光率を減少させることを指示するコマンドである。制御部３１８は、制御コマンド（調光ダウン）を受信した場合、照明調光率を１０％減少させる。なお、制御部３１８は、照明調光率を１０％減少させる場合、１度に１０％減少させるのではなく、０．２％ずつ緩やかに減少させる。照明調光率の下限は０％である。
【００３１】
ただし、現照明モードが、勉強モード、シアターモードのいずれかである場合には、照明調光率の減少はさせない。
制御コマンド（調色白）は、照明光を昼光色に近づけることを指示するコマンドである。制御部３１８は、制御コマンド（調色白）を受信した場合、照明調色率を１０％増加させる。照明調色率の上限は１００％である。
【００３２】
ただし、現照明モードが、勉強モード、くつろぎモード、シアターモードのいずれかである場合には、照明調色率の増加はさせない。
制御コマンド（調色暖）は、照明光を電球色に近づけることを指示するコマンドである。制御部３１８は、制御コマンド（調色暖）を受信した場合、照明調色率を１０％減少させる。照明調色率の下限は、０％である。
【００３３】
ただし、現照明モードが、勉強モード、くつろぎモード、シアターモードのいずれかである場合には、照明調色率の減少はさせない。
制御コマンド（消灯）は、消灯を指示するコマンドである。制御部３１８は、制御コマンド（消灯）を受信した場合、使用中の照明調光率、照明調色率に依らず、ＰＷＭ制御部３１６に対し、白色調光率、暖色調光率として０％を通知する。
【００３４】
制御コマンド（普段）は、普段モードへの切り替えを指示するコマンドである。制御部３１８は、制御コマンド（普段）を受信した場合、現照明モードを普段モードにする。
また、制御部３１８は、現照明モードが普段モードである場合には、照明制御機能を実行する際に、普段モード用の照明調光率と照明調色率とを用いる。制御部３１８は、この普段モード用の照明調光率と照明調色率は、記憶部３１４に記憶させている。制御部３１８は、この普段モード用の照明調光率と照明調色率を、必要に応じて読み出して使用した後、記憶部３１４に記憶させる。
【００３５】
また、制御コマンド（普段）は、単位コマンドとして、時コマンド、分コマンド、及び秒コマンドを含んでいる。
制御部３１８は、時コマンド、分コマンド、及び秒コマンドで示される時刻を、現在時刻として計時部３１３に設定する。
制御コマンド（勉強）は、勉強モードへの切り替えを指示するコマンドである。制御部３１８は、制御コマンド（勉強）を受信した場合、現照明モードを勉強モードにする。また、制御部３１８は、照明調光率を１００％に、照明調色率を６０％に変更する。
【００３６】
制御コマンド（くつろぎ）は、くつろぎモードへの切り替えを指示するコマンドである。制御部３１８は、制御コマンド（勉強）を受信した場合、現照明モードをくつろぎモードにする。また、照明調色率を０％に変更し、固定的に用いる。照明調光率については、制御部３１８は、くつろぎモード用の照明調光率を記憶部３１４に記憶させている。制御部３１８は、このくつろぎモード用の照明調光率を、必要に応じて読み出して使用した後、記憶部３１４に記憶させる。
【００３７】
制御コマンド（シアター）は、シアターモードへの切り替えを指示するコマンドである。制御部３１８は、制御コマンド（シアター）を受信した場合、現照明モードをシアターモードにする。
また、照明調光率を１００％に変更し、照明調色率を０％に変更し、これらを固定的に用いる。
【００３８】
制御コマンド（エコロジー）は、エコロジーモードへの切り替えを指示するコマンドである。制御部３１８は、制御コマンド（エコロジー）を受信した場合、現照明モードをエコロジーモードにする。エコロジーモードでは、制御部３１８は、普段モードとほぼ同様の照明制御を行う。但し、別途、エコロジーモード用の照明調光率、照明調色率を用いることはしない。エコロジーモードにおいて、白色調光率と暖色調光率とを算出する際には、普段モード用の照明調光率から、明るさセンサ３１７により検出された環境光の明るさに相当する調光率を減じたものを用いる。
【００３９】
制御コマンド（ユーザ設定）は、ユーザ設定した動作を指示するコマンドである。
制御コマンド（ユーザ設定）は、単位コマンドである、設定開始コマンド、秒コマンド、分コマンド、時コマンド、普段コマンド、時コマンド、分コマンド、勉強コマンド、時コマンド、分コマンド、くつろぎコマンド、時コマンド、分コマンド、設定終了コマンドを含む。
【００４０】
制御コマンド（ユーザ設定）に含まれる単位コマンドのうち、「普段コマンド、時コマンド、分コマンド」の部分は、時コマンド及び分コマンドで示される時刻に普段モードで動作することを指示する。制御部３１８は、計時部３１３に時コマンド及び分コマンドで示される時刻を設定してタイマ機能を動作させる。制御部３１８は、計時部３１３から時コマンド及び分コマンドで示される時刻となったことが通知されると、現照明モードを普段モードに変更して動作する。
【００４１】
また、「勉強コマンド、時コマンド、分コマンド」の部分は、時コマンド及び分コマンドで示される時刻に勉強モードで動作することを指示する。制御部３１８は、計時部３１３に時コマンド及び分コマンドで示される時刻を設定してタイマ機能を動作させる。制御部３１８は、計時部３１３から時コマンド及び分コマンドで示される時刻となったことが通知されると、現照明モードを勉強モードに変更して動作する。
【００４２】
「くつろぎコマンド、時コマンド、分コマンド」の部分は、時コマンド及び分コマンドで示される時刻にくつろぎモードで動作することを指示する。制御部３１８は、計時部３１３に時コマンド及び分コマンドで示される時刻を設定してタイマ機能を動作させる。制御部３１８は、計時部３１３から時コマンド及び分コマンドで示される時刻となったことが通知されると、現照明モードをくつろぎモードに変更して動作する。
【００４３】
制御コマンド（勉強）、制御コマンド（くつろぎ）、制御コマンド（シアター）、制御コマンド（エコロジー）、制御コマンド（ユーザ設定）の各々は、制御コマンド（普段）と同様に、現在時刻を送信するための単位コマンドである時コマンド、分コマンド、及び秒コマンドを含む。制御部３１８は、これらのコマンドを受信した場合には、制御コマンド（普段）の場合と同様に、時コマンド、分コマンド、及び秒コマンドで示される時刻を、現在時刻として計時部３１３に設定する。
【００４４】
現在時刻の設定を行うのは、照明装置２０とリモコン装置１０とのそれぞれが計測している現在時刻のずれを補正するため、また、電源スイッチがオフにされるなど電源部３０２から照明本体部３０１への電源供給が停止された場合に、計時部３１３が記憶している現在時刻が消失する場合があるためである。
＜２−２．リモコン装置２０＞
図４は、リモコン装置２０の機能構成を示すブロック図である。
【００４５】
リモコン装置２０は、リモコン本体部４０１と、リモコン本体部４０１に電力を供給する電源部４０２とを含んで構成される。リモコン本体部４０１は、ユーザ入力受付部４１１、計時部４１２、記憶部４１３、制御部４１４、リモコン信号送信部４１５、及び表示部４１６を含んで構成される。リモコン装置２０は、プロセッサ及びメモリを含んで構成されており、制御部４１４の機能は、メモリに記憶されているプログラムをプロセッサが実行することにより実現される。
【００４６】
ユーザ入力受付部４１１は、ボタン群２０２、ボタン群２０３及び制御回路で構成されている。ユーザ入力受付部４１１は、ボタン群２０２、ボタン群２０３のいずれかが押下されたことを検出し、押下されたボタンを識別するボタン種別信号を制御部４１４に対し送出する機能を有する。
計時部４１２は、時計とその制御回路で構成されており、現在時刻を計測する現在時刻計測機能、設定された時間の経過を通知するカウンタ機能を有する。
【００４７】
記憶部４１３は、不揮発性メモリで構成されており、制御コマンド表など各種のデータを記憶する機能を有する。
リモコン信号送信部４１５は、赤外線信号を送信する送信回路で構成されており、制御部４１４から受信する制御コマンド信号を赤外線信号に変換して送信する機能を有する。
表示部４１６は、液晶ディスプレイで構成され、現在時刻など各種の情報を表示する機能を有する。
【００４８】
制御部４１４は、リモコン装置２０の全体制御を行う機能を有する。
制御部４１４の主要な機能は、制御コマンドを送信する制御コマンド送信機能（図１０参照）である。
制御部４１４は、制御コマンド送信機能を以下のように実現する。
制御部４１４は、ユーザ入力受付部４１１からボタン種別信号を受信する。ここで、制御コマンド表における「制御コマンド」欄の記載は、ボタン群２０２に含まれる各ボタンのボタン名に一致している。
【００４９】
制御部４１４は、図５に示す制御コマンド表を参照して、ボタン種別信号により識別されるボタンのボタン名が、「制御コマンド」欄の記載と一致する制御コマンドを読み出す。
そして、制御部４１４は、制御コマンドを構成する単位コマンドを順に送信するよう、リモコン信号送信部４１５に指示する。
＜第１及び第２制御コマンド群＞
以下、図５に記載の第１及び第２制御コマンド群について説明する。
【００５０】
第１制御コマンド群に属する制御コマンドと、第２制御コマンド群に属する制御コマンドの違いは、繰り返し送信する場合の、送信間隔にある。
第１制御コマンド群に属する制御コマンドは、制御コマンド（調光アップ）、制御コマンド（調光ダウン）、制御コマンド（調色白）、制御コマンド（調色暖）である。
照明装置１０は、これらの制御コマンドを受信した場合に、照明制御機能により、照明の発光状態（明るさ、色温度）を、ユーザが視認できる所定程度（一例として１０％）変化させる。
【００５１】
第１制御コマンド群に属する制御コマンドが繰り返して送信される場合に、制御コマンドの送信間隔が短すぎると、照明装置１０は、短期間に多数の制御コマンドを受信することになる。
そして、照明装置１０が、受信した制御コマンドに応じて照明の発光状態を変化させると、結果として、ユーザは、照明の発光状態が段階的に変化していることを認識する間もないほどの短期間のうちに、照明の発光状態が最大限変化してしまうようなことが生じ得る。この場合、ユーザは、照明の発光状態を、望み通り調整する機会を逸してしまう。
【００５２】
このため、第１制御コマンド群に属する制御コマンドについては、繰り返して送信する場合に、照明の発光状態の変化が段階的であることをユーザが視認できる程度の送信間隔（第１の送信間隔の一例である。以下、「第１時間」という。）で送信する。
一方、第１制御コマンド群に属しない制御コマンドは、第２制御コマンド群に属する。
第２制御コマンド群に属する制御コマンドについては、第１制御コマンド群に属する制御コマンドのように、送信間隔に関する制約が無い。よって、第２制御コマンドに属する制御コマンドについては、第１時間よりも短い送信間隔（第２の送信間隔の一例である。以下、「第２時間」という。）で繰り返し送信する。
【００５３】
図８は、第１制御コマンド群及び第２制御コマンド群に属する制御コマンドを繰り返し送信する場合の一例について説明するための図である。
第１制御コマンド群に属する制御コマンドを繰り返して送信する場合、図８（ａ）に示すように第１時間分、送信間隔を空けて送信する。第１時間は、一例として、１０５ｍ（ミリ）秒程度である。また、第２制御コマンド群に属する制御コマンドを繰り返して送信する場合、図８（ｂ）に示すように、第１時間よりも短い第２時間分、送信間隔を空けて送信する。第２時間は、一例として、１０ｍ秒程度である。
【００５４】
ここで、第２制御コマンド群に属するコマンドについては、単位コマンドの送信間隔についても、一例として図６及び図７に示すように第２時間としている。
図６（ａ）は、単発コマンドの一例を示す。図６（ａ）に示すように、制御コマンド（調光アップ）は、単位コマンドである調光アップコマンド１つで構成されている。
図６（ｂ）は、連続コマンドの一例を示す。図６（ｂ）に示すように、制御コマンド（普段）は、単位コマンドである、普段コマンド、時コマンド、分コマンド、秒コマンドが連なって構成されている。
【００５５】
また、図７は、連続コマンドであり、ユーザ設定を指示するための制御コマンド（ユーザ設定）の一例を示す。
この制御コマンドは、単位コマンドである、設定開始コマンド、秒コマンド、分コマンド、時コマンド、普段コマンド、時コマンド、分コマンド、勉強コマンド、時コマンド、分コマンド、くつろぎコマンド、時コマンド、分コマンド、設定終了コマンドが連なって構成されている、他の制御コマンドに比べて長いコマンドとなっている。
【００５６】
このように、第２コマンド群に属する制御コマンドについて、単位コマンド間、制御コマンド間の送信間隔を第２時間とすることで、第２制御コマンド群に属する制御コマンドを送信するのに要する時間を、送信間隔を第１時間固定とする場合に比べ短縮することができる。このため、照明装置１０、リモコン装置２０における制御コマンドの送信処理に要する時間が短くなる。よって、照明装置１０、リモコン装置２０の双方において、リモコン装置２０が有するボタンが押下されてから、押下されたボタンに応じた処理を実行するまでのレスポンスを早くすることができる。
＜単位コマンドの詳細＞
単位コマンドは、赤外線信号である単位コマンド信号の形式でリモコン装置２０から照明装置１０へと送信される。
【００５７】
図９は、単位コマンド信号について模式的に示す図である。
単位コマンド信号は、Ｈｉｇｈレベルが１Ｔ（Ｔ＝４００μ秒程度）継続し、続いてＬｏｗレベルが１Ｔ継続する場合に、値「０」を表し、Ｈｉｇｈレベルが１Ｔ継続し、続いてＬｏｗレベルが３Ｔ継続した場合に、値「１」を表す。
単位コマンド信号は、リーダコード、メーカコード（１６ビット）、メーカパリティ（４ビット）、商品コード（４ビット）、データコード（８ビット）、パリティ（８ビット）、及びトレーラコードにより構成される。
【００５８】
リーダコードは、単位コマンド信号の開始を示す信号である。具体的には、Ｈｉｇｈレベルが８Ｔ継続し、Ｌｏｗレベルが４Ｔ継続する信号である。
メーカコードは、メーカを識別するコードであり、メーカに一意に割り当てられている。
メーカパリティは、メーカコードのパリティである。
【００５９】
商品コードは、商品のカテゴリを識別するためのコードである。例えば、照明装置、テレビ装置のそれぞれに異なる商品コードが割り当てられる。
データコードは、各単位コマンドに固有のコードである。
パリティは、メーカコード、メーカパリティ、商品コード、及びデータコードのパリティである。
【００６０】
トレーラコードは、単位コマンド信号の終了を示す信号である。Ｌｏｗレベルが所定長（例えば１０ｍ秒）以上継続する信号である。
＜３．動作＞
＜３−１．制御コマンド送信処理＞
図１０は、リモコン装置２０による制御コマンド送信処理を示すフローチャートである。
【００６１】
リモコン装置２０におけるユーザ入力受付部４１１は、ボタン群２０２及びボタン群２０３のいずれかのボタンの押下を検出する（Ｓ１００１）。
ユーザ入力受付部４１１は、押下があった場合には（Ｓ１００１でＹＥＳ）、押下されたボタンを示すボタン種別信号を制御部４１４に送信する。制御部４１４は、制御コマンド表を参照し、ボタン種別信号が示すボタンが制御コマンドに対応づけられているか否かを判断し、対応づけられている場合、制御コマンドを送信すべきと判断する（Ｓ１００２でＹＥＳ）。制御コマンドを送信する必要がないと判断した場合（Ｓ１００２でＮＯ）、Ｓ１００１に進む。
【００６２】
制御部４１４は、制御コマンドを送信すべきと判断した場合、送信すべきと判断した制御コマンドが、第１制御コマンド群に含まれるか否かを、制御コマンド表を参照して判断する（Ｓ１００３）。
制御コマンドが、第１制御コマンド群に含まれている場合（Ｓ１００３でＹＥＳ）、変数「コマンド間隔」に値として第１時間を設定し、Ｓ１００６に進む。一方、制御コマンドが、第１制御コマンド群に含まれていない場合（Ｓ１００３でＮＯ）、変数「コマンド間隔」に値として第２時間を設定し、Ｓ１００６に進む。
【００６３】
制御部４１４は、Ｓ１００６において、データ送信処理を行う（図１１を参照）。
データ送信処理の後、制御部４１４は、ユーザ入力受付部４１１により、押下を検出したボタンが解放されているか否かを判断し（Ｓ１００７）、解放されていると判断した場合（Ｓ１００７でＹＥＳ）、Ｓ１００１に進む。
解放されていない、すなわち、押下されたままであると判断した場合には（Ｓ１００７でＮＯ）、コマンド間隔で示されている時間だけ信号送信を待ち（Ｓ１００８）、Ｓ１００６に進む。
＜３−２．データ送信処理＞
図１１は、Ｓ１００６のデータ送信処理の詳細を示すフローチャートである。
【００６４】
制御部４１４は、制御コマンド表を参照し、制御コマンドを構成する単位コマンドを全て送信し終わったか否か判断する（Ｓ１１０１）。全ての送信が終わっている場合（Ｓ１１０１でＹＥＳ）、処理を終了する。
全ての送信が終わっていない場合（Ｓ１１０１でＮＯ）、送信すべき単位コマンドが、送信順が最初の単位コマンドか否かを判断する（Ｓ１１０２）。
【００６５】
送信順が最初の単位コマンドでない場合には（Ｓ１１０２でＮＯ）、コマンド間隔で示されている時間だけ信号の送信を待ち（Ｓ１１０３）、送信すべき単位コマンドを送信し（Ｓ１１０４）、Ｓ１１０１に進む。
Ｓ１１０２において、送信順が最初の単位コマンドで無いと判断した場合（Ｓ１１０２でＹＥＳ）、Ｓ１１０４に進む。
＜３−３．制御コマンド信号受信処理＞
図１２は、照明装置１０による制御コマンド信号の受信処理を示すフローチャートである。
【００６６】
照明装置１０におけるリモコン信号受信部３１１は、単位コマンド信号を受信するのを待つ（Ｓ１２０１）。
単位コマンド信号を受信した場合（Ｓ１２０１でＹＥＳ）、リモコン信号受信部３１１は、単位コマンド信号を単位コマンドに変換し、制御部３１８に送信する。制御部３１８は、単位コマンドを受信して保持する（Ｓ１２０２）。
【００６７】
制御部３１８は、制御コマンド表を参照し、受信した単位コマンドが単発コマンドか否かを判断する（Ｓ１２０３）。
単位コマンドが単発コマンドで無い場合（Ｓ１２０３でＮＯ）、制御部３１８は、計時部３１３に対し第１時間と第２時間の経過時に通知するよう設定し、タイマを起動する（Ｓ１２０４）。
【００６８】
制御部３１８は、第２時間が経過したか否か判断し（Ｓ１２０５）、経過していない場合（Ｓ１２０５でＮＯ）、単位コマンドを受信したか否か判断する（Ｓ１２０６）。
単位コマンドを受信していない場合（Ｓ１２０６でＮＯ）、Ｓ１２０５に進む。
単位コマンドを受信した場合（Ｓ１２０６でＹＥＳ）、変数であるコマンド待ち時間に「第２時間」を設定する（Ｓ１２０７）。この場合、受信している制御コマンドは、第２制御コマンド群に含まれると判断できる。
【００６９】
そして、計時部３１３に設定したタイマを解除し（Ｓ１２０８）、単位コマンドを保存する（Ｓ１２０９）。
そして、残シーケンス受信処理を実行する（Ｓ１２１０）。残シーケンス受信処理については、図１３に示す。
残シーケンス受信処理の終了後、制御コマンドが繰り返して受信したものか否か判断する（Ｓ１２１１）。繰り返し受信したものでない場合（Ｓ１２１１でＮＯ）、Ｓ１２１３に進む。
【００７０】
繰り返し受信したものである場合（Ｓ１２１１でＹＥＳ）、この制御コマンドに係る処理を実行する必要があるか否かを判断する（Ｓ１２１２）。
この判断は、本実施形態では、制御コマンドが第１制御コマンド群に属する場合、繰り返し実行する必要があると判断し、それ以外の場合には、繰り返し実行の必要が無いと判断することとする。
【００７１】
Ｓ１２１２において、繰り返し実行する必要が無いと判断された場合には（Ｓ１２１２でＮＯ）、Ｓ１２０１に進み、繰り返し実行する必要があると判断された場合には（Ｓ１２１２でＹＥＳ）、Ｓ１２１３に進む。
Ｓ１２１３において、受信した制御コマンドに対応するコマンド実行処理を行い（Ｓ１２１３）、Ｓ１２０１に進む。
【００７２】
また、Ｓ１２０５において、第２時間が経過したと判断した場合（Ｓ１２０５でＹＥＳ）、制御部３１８は、第１時間が経過したか否か判断する（Ｓ１２２１）。経過していない場合（Ｓ１２２１でＮＯ）、単位コマンドを受信したか否か判断する（Ｓ１２２２）。
単位コマンドを受信していない場合（Ｓ１２２２でＮＯ）、Ｓ１２２１に進む。
単位コマンドを受信した場合（Ｓ１２２２でＹＥＳ）、変数であるコマンド待ち時間に「第１時間」を設定する（Ｓ１２２３）。この場合、受信している制御コマンドは、第１制御コマンド群に含まれると判断できる。Ｓ１２２３の後、Ｓ１２０８に進む。
【００７３】
また、Ｓ１２２１において、第１時間が経過したと判断した場合（Ｓ１２２１でＹＥＳ）、エラー処理を行う（Ｓ１２２４）。エラー処理は、有効な制御コマンドを受けなかったとして、再び制御コマンドを受信できる状態にするための処理である。例えば、エラー処理には、既に受信した、制御コマンドを構成する単位コマンドの破棄などがある。
＜３−４．残シーケンス受信処理＞
残シーケンス受信処理は、制御コマンドを構成する単位コマンドの一部を受信している状態において、残りの単位コマンドを受信する処理である。
【００７４】
まず、制御部３１８は、タイマを起動する（Ｓ１３０１）。このとき、制御部３１８は、計時部３１３に対しコマンド待ち時間の経過時に通知するよう設定する。
制御部３１８は、コマンド待ち時間が経過したか否か判断し（Ｓ１３０２）、経過していない場合（Ｓ１３０２でＮＯ）、単位コマンドを受信したか否か判断する（Ｓ１３０３）。
【００７５】
単位コマンドを受信していない場合（Ｓ１３０３でＮＯ）、Ｓ１３０２に進む。
単位コマンドを受信した場合（Ｓ１３０３でＹＥＳ）、タイマを停止する（Ｓ１３０４）。
そして、受信した単位コマンドを保存する（Ｓ１３０５）。
そして、受信中の制御コマンドを構成する単位コマンドの全てを受信したか否か判断し（Ｓ１３０６）、全て受信した場合には（Ｓ１３０６でＹＥＳ）、処理を終了する（ＲＥＴＵＲＮ）。全てを受信してはいない場合には（Ｓ１３０６でＮＯ）、Ｓ１３０１に進む。
【００７６】
また、Ｓ１３０２において、コマンド待ち時間が経過した場合には（Ｓ１３０２でＹＥＳ）、エラー処理を行う（Ｓ１３０７）。エラー処理は、有効な制御コマンドを受けなかったとして、再び制御コマンドを受信できる状態にするための処理である。例えば、エラー処理には、既に受信した、制御コマンドを構成する単位コマンドの破棄などがある。
エラー処理の後、図１２のＳ１２０１に進む。
＜４．変形例＞
以上、本発明に係るコンテンツ提供システムの実施形態を説明したが、例示した照明システムを以下のように変形することも可能であり、本発明が上述の実施形態で示した通りの照明システムに限られないことは勿論である。
【００７７】
（１）上記実施形態では、リモコン装置２０から照明装置１０に対し送信する制御コマンドとして、図５の制御コマンド表に列記したものを用いたが、照明装置１０が有する機能の実行を指示するための制御コマンドを用いれば足りる。制御コマンド表に列記した制御コマンドを全て用いる必要はないし、新たに制御コマンドを追加してもよい。
（２）上記実施形態では、照明装置１０が５個の照明モードを有するとしたが、４個以下又は６個以上の照明モードを有していてもよい。また、照明モードを有しない構成としてもよい。
【００７８】
また、上記実施形態では、照明モードそれぞれにおける調光、調色の制御について説明したが、これは一例であり、調光、調色について他の制御を行ってもよい。また、各照明モードについて、調光、調色だけでなく、照明光を照射する方向を１以上の特定の方向に制限する配光を組み合わせてもよい。さらに、光源の光色は上記に制限されるわけではなく、多色を用いても良い。また単色でも良い。また、光源は、ＬＥＤの他、有機ＥＬ（ＥｌｅｃｔｒｏＬｕｍｉｎｅｓｃｅｎｃｅ）、無機ＥＬ等、発光するものであればよい。
【００７９】
（３）上記実施形態では、制御コマンド（ユーザ設定）が、「普段コマンド、時コマンド、分コマンド」の組、「勉強コマンド、時コマンド、分コマンド」の組、「くつろぎコマンド、時コマンド、分コマンド」の組を１個ずつ含むこととしたが、２個以上含む組があってもよいし、１個も含まない組があってもよい。
例えば、普段モード、くつろぎモードと遷移した後に、普段モードに再度遷移させたい場合には、「普段コマンド、時コマンド、分コマンド」の組を、制御コマンド（ユーザ設定）に、２個含めればよい。
【００８０】
また、上記実施形態に係る制御コマンド表は、予め照明装置１０及びリモコン装置２０が有する記憶部に記憶されていることとしたが、ユーザが自由に編集できることとしてもよい。
（４）上記実施形態では、制御コマンドの送信に要する送信時間を、制御コマンドを構成する単位コマンドの送信間隔を短縮することで実現したが、送信時間が短縮できれば足りる。例えば、単位コマンド信号について説明した１Ｔに相当する時間を、照明装置１０が単位コマンド信号を誤りなく読み取れる範囲内で短縮することにより、送信時間を短縮してもよい。
【００８１】
（５）上記実施形態では、第１制御コマンド群に属する制御コマンドは全て第２制御コマンド群に属することとし、制御コマンド、単位コマンドの送信間隔を第２時間としていたが、第１制御コマンド群について送信間隔が規定されていれば足りる。
例えば、図１４に示すように、制御コマンド（ユーザ設定）のみ第２制御コマンド群に含まれるものとし、上記実施形態では、第２制御コマンド群に含まれていた制御コマンドを第３制御コマンド群に含まれるものとする。そして、第３制御コマンド群に含まれる制御コマンドについて、制御コマンド、単位コマンドの送信間隔を第１時間としてもよい。
【００８２】
（６）上記実施形態では、一連の単位コマンドが、送信間隔を第１時間とする制御コマンド群に属する制御コマンド（上記変形例（５）の第３制御コマンド群に属する制御コマンドが該当）と、送信間隔を第２時間とする第２制御コマンド群に属する制御コマンドの双方に含まれることはなかったが、双方に含まれることとしてもよい。
この場合、照明装置１０では、単位コマンドの受信間隔を用いて、その単位コマンドにより構成される制御コマンドが、第３制御コマンド群に属するものか、第２制御コマンドに属するものかを判断する。
【００８３】
例えば、図１４に示す制御コマンド表の場合、制御コマンド（ユーザ設定）のコマンドシーケンスは、「普段コマンド、時コマンド、分コマンド、勉強コマンド、時コマンド、分コマンド、くつろぎコマンド、時コマンド、分コマンド、シアターコマンド、時コマンド、分コマンド」である。すなわち、本変形例の制御コマンド（ユーザ設定）は、上記実施形態のように「設定開始コマンド」、「設定終了コマンド」を含んでいない。
【００８４】
よって、照明装置１０は、一連の単位コマンドである「普段コマンド、時コマンド、分コマンド」を受信した場合に、制御コマンド（普段）の一部であるのか、制御コマンド（ユーザ設定）の一部であるのかを判別する必要がある。この場合、照明装置１０は、例えば、図１５に示すように普段コマンドと、時コマンドの受信間隔が第１時間であれば、受信している制御コマンドが第３制御コマンド群に属すると判断し、図７に示すように受信間隔が第２時間であれば、受信している制御コマンドが第２制御コマンド群に属すると判断する。
【００８５】
（７）上記実施形態では、リモコン装置２０において、第２の制御コマンド群に属する制御コマンドを繰り返し送信する場合に、第２の送信間隔で送信することとし、単位コマンドの送信間隔についても同様とした。しかし、第２の制御コマンド群に属する制御コマンドによる指示が、第１の制御コマンド群に属する制御コマンドによる指示よりも、短期間に行えれば足りる。例えば、第２の制御コマンド群に属する制御コマンドを繰り返し送信する場合に、１回目に送信する制御コマンドについて、単位コマンドの送信間隔を第１の送信間隔としてもよい。そして、制御コマンドの送信間隔、２回目以降に送信する制御コマンドを構成する単位コマンドの送信間隔については、第１の送信間隔とする。このとき、照明装置１０においては、２回目以降に送信された制御コマンドについては無視する。
【００８６】
このようにすることで、１回目の制御コマンドについては、リモコン装置２０から照明装置１０に短期間で送信できる。また、リモコン装置２０から照明装置１０に制御コマンドを送信する回数を減らし得るので、リモコン装置２０におけるバッテリ消費量を低減することができる。
（８）上記実施形態では、制御コマンド（普段）、制御コマンド（勉強）、制御コマンド（くつろぎ）、制御コマンド（シアター）などに時、分、秒を示す単位コマンドを含めていた。しかし、現在時刻を必ずしも使用しないモードについては、時、分、秒を示す単位コマンドを送信しない構成としても良い。また、その場合は送信間隔を第一制御コマンド群と同じにしても良い。
【００８７】
（９）上記実施形態のユーザ設定モードに関し、制御コマンド（ユーザ設定）に含まれる設定終了コマンドを正常に受信したことをトリガとして、ユーザ設定が有効になるとしてもよい。この場合、制御コマンド（ユーザ設定）により通知された、普段モード、勉強モード、くつろぎモードについての各動作開始時刻になったときに、照明装置１０は、各動作開始時刻に対応するモードで動作することになる。
【００８８】
（１０）上記実施形態では、制御コマンド（ユーザ設定）に、単位コマンドとして、普段コマンド、勉強コマンド、くつろぎコマンドを含めていたが、普段モード、勉強モード、くつろぎモードの動作開始時刻が通知できれば足りる。例えば、制御コマンド（ユーザ設定）について、普段モード、勉強モード、くつろぎモード動作開始時刻を予め規定した順序で送信することと規定しておき、普段コマンド、勉強コマンド、くつろぎコマンドを送信しないこととしてもよい。
【００８９】
（１１）上記実施形態では、図１１に示すように、制御コマンドを構成する単位コマンドを送信してから、次の単位コマンドを送信するまでの間にボタンの解放検出があった否かの判定を行っていなかったが（Ｓ１１０１、Ｓ１１０２）、これを行うこととしてもよい。
図１６は、本変形例に係る、データ送信処理について示すフローチャートである。図１６は、図１１のＳ１１０１とＳ１１０２との間に、Ｓ１６０１が挿入されている点が異なる。Ｓ１６０１では、ボタンの解放を検出し、検出できた場合には、処理を終了し（ＲＥＴＵＲＮ）、検出できなった場合には、Ｓ１１０２に進む。
【００９０】
このように、ユーザによるボタン解放の検出頻度を増やすことで、ボタン解放の検出時期を早めることができ、ユーザのボタン操作に対する、照明装置１０、リモコン装置２０のレスポンスを向上させることができる。
（１２）上述の実施形態で示した制御コマンド送信処理、制御コマンド受信処理などを照明装置１０、及びリモコン装置２０のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、ＲＯＭ、フラッシュメモリ等がある。流通、頒布された制御プログラムはプロセッサに読み出され得るメモリ等に格納されることにより利用に供され、そのプロセッサがその制御プログラムを実行することにより各実施形態で示したような各機能が実現されるようになる。なお、プロセッサは、制御プログラムを直接実行する他、コンパイルして実行或いはインタプリタにより実行してもよい。
【００９１】
（１３）上述の実施形態で示した各機能構成要素（リモコン信号受信部３１１、ユーザ入力受付部３１２、計時部３１３、記憶部３１４、照明部３１５、ＰＷＭ制御部３１６、明るさセンサ３１７、制御部３１８、ユーザ入力受付部４１１、計時部４１２、記憶部４１３、制御部４１４、リモコン信号送信部４１５、及び表示部４１６など）は、その機能を実行する回路として実現されてもよいし、１又は複数のプロセッサによりプログラムを実行することで実現されてもよい。
【００９２】
なお、上述の各機能構成要素は典型的には集積回路であるＬＳＩとして実現される。これらは個別に１チップされてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００９３】
（１４）本発明は、上記に示す方法であるとしてもよい。
（１５）上述の実施形態及び各変形例を、部分的に組み合せてもよい。
＜５．補足＞
以下、更に本発明の一実施形態としての照明システムの構成及びその変形例と効果について説明する。
（１）本発明の一実施形態に係る照明システムは、照明装置と、前記照明装置を遠隔操作するためのリモコン装置とから成る照明システムであって、前記照明装置は、照明光源と、前記照明光源の発光状態を現発光状態から１段階変化させることを指示する第１の制御コマンドと、前記第１の制御コマンドとは異なる動作を指示する第２の制御コマンドとを受信する受信手段を備え、前記第２の制御コマンドにより指示される動作は、それぞれが単位コマンドにより指示される一連の動作から成り、前記リモコン装置は、前記第１及び第２の制御コマンドを送信する送信手段と、前記第１の制御コマンドを繰り返し送信する場合に、前記第１の制御コマンドのそれぞれを、前記照明光源の発光状態の変化が段階的であることを視認し得る第１の送信間隔で送信し、前記第２の制御コマンドを送信する場合に、前記単位コマンドのそれぞれを、前記第１の送信間隔より短い第２の送信間隔で送信するよう前記送信手段を制御する送信制御手段とを備える。
【００９４】
この構成により、リモコン装置から照明装置に多数のコマンドから成るコマンド列を送信する場合であっても、ボタン押下に対するレスポンスを可及的に向上させることができる。
（２）また、前記送信制御手段は、前記送信手段が前記第２の制御コマンドを繰り返し送信する場合には、前記第２の制御コマンドの送信間隔を前記第２の送信間隔で送信するよう前記送信手段を制御することとしてもよい。
【００９５】
この構成により、第２の制御コマンドを複数回送信する場合に要する送信時間を可及的に短縮することができる。
（３）また、前記発光状態の視認可能な変化は、明るさ又は光色の変化であることとしてもよい。
この構成により、照明装置における、照明の明るさ又は光色の変化を段階的に視認できるようにし、かつ、ボタン押下に対するレスポンスを可及的に向上させることができる。
（４）また、前記照明装置は、複数の単位コマンドから構成され、かつ前記第２の制御コマンドに含まれる特定の単位コマンドと同じ単位コマンドを含む第３の制御コマンドを受け付け、前記送信制御手段は、前記第３の制御コマンドを送信する場合には、前記第３の制御コマンドを構成する単位コマンドを、前記第１の送信間隔で送信し、前記照明装置は、前記特定の単位コマンドを受信した場合に、複数の単位コマンドの受信間隔を用いて、前記特定の単位コマンドを含む制御コマンドが、前記第２及び第３の制御コマンドのいずれであるかを判断することとしてもよい。
【００９６】
この構成により、制御コマンドの種類を増やすことなく、照明装置に対し成し得る指示の種類を増やすことができる。
（５）本発明の一実施形態に係る照明制御方法は、照明光源の発光状態を現発光状態から１段階変化させることを指示する第１の制御コマンドと、前記第１の制御コマンドとは異なる動作を指示する第２の制御コマンドとを受信する照明装置と、前記照明装置を遠隔操作するためのリモコン装置とから成る照明システムに用いられる照明制御方法であって、  前記リモコン装置が、制御コマンドを送信する場合に、送信する制御コマンドが前記第１及び第２の制御コマンドのいずれであるかを判断するステップと、前記リモコン装置が、前記第１の制御コマンドを繰り返し送信する場合に、前記第１の制御コマンドのそれぞれを、前記照明光源の発光状態の変化が段階的であることを視認し得る第１の送信間隔で送信し、前記第２の制御コマンドを送信する場合に、前記単位コマンドのそれぞれを、前記第１の送信間隔より短い第２の送信間隔で送信するステップとを含む。
【００９７】
この構成により、リモコン装置から照明装置に多数のコマンドから成るコマンド列を送信する場合であっても、ボタン押下に対するレスポンスを可及的に向上させることができる。
【産業上の利用可能性】
【００９８】
本発明の一形態に係る照明システムは、リモコン装置から照明装置に多数のコマンドから成るコマンド列を送信する場合における、ボタン押下に対するレスポンスを可及的に向上させるものであり、複数の設定項目を有する高機能な照明システム等として有用である。
【符号の説明】
【００９９】
１    照明システム
１０    照明装置
２０    リモコン装置
１０１    装置本体
１０２    枠体
１０３    明るさセンサ
１０４    カバー
２０１    ディスプレイ
２０２    ボタン群
２０３    ボタン群
２０４    信号送信部
３０１    照明本体部
３０２    電源部
３１１    リモコン信号受信部
３１２    ユーザ入力受付部
３１３    計時部
３１４    記憶部
３１５    照明部
３１６    ＰＷＭ制御部
３１７    明るさセンサ
３１８    制御部
３３１    ＬＥＤモジュール
３３２    ＬＥＤモジュール
４０１    リモコン本体部
４０２    電源部
４１１    ユーザ入力受付部
４１２    計時部
４１３    記憶部
４１４    制御部
４１５    リモコン信号送信部
４１６    表示部
【図１】
2014082100.tif 000003
【図２】
2014082100.tif 000004
【図３】
2014082100.tif 000005
【図４】
2014082100.tif 000006
【図５】
2014082100.tif 000007
【図６】
2014082100.tif 000008
【図７】
2014082100.tif 000009
【図８】
2014082100.tif 000010
【図９】
2014082100.tif 000011
【図１０】
2014082100.tif 000012
【図１１】
2014082100.tif 000013
【図１２】
2014082100.tif 000014
【図１３】
2014082100.tif 000015
【図１４】
2014082100.tif 000016
【図１５】
2014082100.tif 000017
【図１６】
2014082100.tif 000018